(57)【要約】      （修正有）【課題】単純であり厚みが薄い月相のディスプレーデバイスを提供する。【解決手段】月相のディスプレーデバイスであって、４つのリング部分３を有し、その２つの連続するリング部分３どうしが、環状のカバー２の内側の方に半径方向に突き出ている凸状のローブ４によって分けられている環状のカバー２と、月インジケーターディスク６と、月インジケーターディスク６が２つの連続するローブ４の間にてサイクロイド状軌道を描くように月インジケーターディスク６を動かすように構成している駆動手段とを有し、これによって、月インジケーターディスク６が、サイクロイド状軌道の１つの部分の間に、２つの連続するローブ４のそれぞれによって少なくとも部分的に隠されて、１太陰月における月相を再現する。【選択図】図２
2018155739.tif 000002
【特許請求の範囲】
【請求項１】
月相のディスプレーデバイス（１）であって、
−  ４つのリング部分（３）を有し、その２つの連続するリング部分（３）どうしが、当該環状のカバー（２）の内側の方に半径方向に突き出ている凸状のローブ（４）によって分けられている環状のカバー（２）と、
−  月インジケーターディスク（６）と、
−  前記月インジケーターディスクが２つの連続するローブ（４）の間にてサイクロイド状軌道（１９）を描くように前記月インジケーターディスク（６）を動かすように構成している駆動手段と
を有し、
これによって、前記月インジケーターディスク（６）が、前記サイクロイド状軌道（１９）の１つの部分の間に、前記２つの連続するローブ（４）のそれぞれによって少なくとも部分的に隠されて、１太陰月における月相を再現する
ことを特徴とするディスプレーデバイス（１）。
【請求項２】
前記環状のカバーには中心（９）があり、
前記駆動手段は、アーム（１２）を有し、このアーム（１２）は、
−  前記環状のカバー（２）の前記中心（９）を通り抜ける第１の回転軸（１４）のまわりに回転可能に動くことができるように構成している第１の端（１３）と、
−  第２の端（１５）と
を有し、
前記月インジケーターディスク（６）は、前記アームの前記第２の端（１５）を通り抜ける第２の回転軸（１６）のまわりの回転運動をするように構成している
ことを特徴とする請求項１に記載のディスプレーデバイス（１）。
【請求項３】
前記駆動手段は、
−  内側歯列（８）がある環状のクラウン（７）と、
−  前記環状のクラウン（７）の前記内側歯列（８）と噛み合う外側歯列（２１）を備えるピニオン（１１）と
を有し、前記アーム（１２）の前記第２の端（１５）は、前記ピニオンが前記第２の回転軸（１６）のまわりを回転可能に動くことができるように前記ピニオン（１１）に接続されており、
前記月インジケーターディスク（６）は、前記ピニオンの偏心位置に固定されている
ことを特徴とする請求項２に記載のディスプレーデバイス。
【請求項４】
前記第１の回転軸（１４）のまわりに前記アーム（１２）を回転駆動するように構成している伝達手段を有する
ことを特徴とする請求項２又は３に記載のディスプレーデバイス。
【請求項５】
前記伝達手段は、前記アーム（１２）が４太陰月の間に前記第１の回転軸（１４）のまわりに完全に１回転をするように構成している
ことを特徴とする請求項２〜４のいずれかに記載のディスプレーデバイス。
【請求項６】
前記ローブ（４）はそれぞれ、前記月インジケーターディスク（６）の直径と同じ直径の丸まっている形を有する
ことを特徴とする請求項１〜５のいずれかに記載のディスプレーデバイス。
【請求項７】
前記カバー（２）と前記月インジケーターディスク（６）は、２つの連続するローブ（４）の間に前記月インジケーターディスク（６）が同時にそれらの２つの連続するローブ（４）に接するような位置があるような大きさを有する
ことを特徴とする請求項１〜６のいずれかに記載のディスプレーデバイス。
【請求項８】
前記リング部分（３）のそれぞれは、円弧状である
ことを特徴とする請求項１〜７のいずれかに記載のディスプレーデバイス。
【請求項９】
請求項１〜８のいずれかに記載のディスプレーデバイス（１）を有する
ことを特徴とする計時器。
【請求項１０】
前記環状のカバーは、当該計時器の表盤である
ことを特徴とする請求項９に記載の計時器。
【請求項１１】
針（１８）を有し、
前記針（１８）と前記月インジケーターディスク（６）の間に表盤が配置されている
ことを特徴とする請求項９又は１０に記載の計時器。
【発明の詳細な説明】
【技術分野】
【０００１】
本発明は、地球の表面上の所定の地点において見ることができる現在の月相をディスプレーするデバイスに関する。
【背景技術】
【０００２】
従来技術において、多くの月相のディスプレーデバイス、特に、腕時計に組み入れられたもの、がある。
【０００３】
例えば、欧州特許ＥＰ２３９２９７６は、月ディスクと、実質的に半円形の開口がある表盤とを有するデバイスを開示している。月ディスクは、月相を示すように開口を通して月ディスクにマークされたインジケーションをディスプレーするように回転駆動される。この機構は、月ディスクと表盤の間にて回転可能に収容された第１の掩蔽ディスクと、及びその第１の掩蔽ディスクを駆動する駆動列とを有する。これによって、月ディスクにマークされたインジケーションが当該機構の特定の動作位相のときに少なくとも部分的に見えなくなり、開口を通して現われるインジケーションが、月期の期間を通して月の自然な外観に対応するようになる。
【０００４】
スイス特許ＣＨ７０６０９４は、軸がある表盤と、月インジケーターと、変動する角度に応じて月インジケーターを隠すように配置されるカバーと、及び月インジケーターを回転させて動かせる月インジケーターのための第１の回転駆動手段とを有する月相のディスプレーデバイスを開示している。
【０００５】
これらのデバイスは、月の外観をうまく再現することができている。しかし、それらは複雑であり厚みが厚い。
【発明の概要】
【発明が解決しようとする課題】
【０００６】
本発明は、従来技術のものよりも単純であり厚みが薄い月相のディスプレーデバイスを提案することによって最先端技術の課題を克服することを目的とする。
【課題を解決する手段】
【０００７】
これを達成するために、本発明の第１の態様によって、
月相のディスプレーデバイスであって、
−  ４つのリング部分を有し、その２つの連続するリング部分どうしが、当該環状のカバーの内側の方に半径方向に突き出ている凸状のローブによって分けられている環状のカバーと、
−  月インジケーターディスクと、
−  前記月インジケーターディスクが２つの連続するローブの間にてサイクロイド状軌道を描くように前記月インジケーターディスクを動かすように構成している駆動手段と
を有し、
これによって、前記月インジケーターディスクが、前記サイクロイド状軌道の１つの部分の間に、前記２つの連続するローブのそれぞれによって少なくとも部分的に隠されて、１太陰月における月相を再現するものが提案される。
【０００８】
このようにして、月インジケーターディスクは、前記ディスプレーデバイスが１回の公転を完了する間に４つのサイクロイド状軌道を描く。各サイクロイド状軌道において、前記月インジケーターディスクは、ローブによって完全に隠されている位置から開始する。この位置は、新月を表す。そして、前記月インジケーターディスクは、サイクロイド状軌道の中間位置まで、徐々に見えるようにされる。前記月インジケーターディスクがサイクロイド状軌道の中間位置にあるときには、前記月インジケーターディスクは、もはやローブによって隠されておらず、満月を表すようになっている。そして、前記月インジケーターディスクはサイクロイド状軌道上を続行し、次のローブによって徐々に見えなくなり、その後に再び完全に隠れる。
【０００９】
本発明の第１の態様に係るディスプレーデバイスは、さらに、個別に選択され又は技術的に可能なすべての組み合わせで選択される以下の特徴の１つ又は複数を有することができる。
【００１０】
好ましいことに、前記環状のカバーには中心があり、前記駆動手段は、アームを有し、このアームは、
−  前記環状のカバーの中心を通り抜ける第１の回転軸のまわりに回転可能に動くことができるように構成している第１の端と、
−  第２の端と
を有し、前記月インジケーターディスクは、前記アームの前記第２の端を通り抜ける第２の回転軸のまわりの回転運動をするように構成している。
【００１１】
このようにして、以下の二重回転運動によって、月インジケーターディスクがサイクロイド状軌道を描く。すなわち、当該アームは、第１の回転軸のまわりの第１の回転運動をし、かつ、月インジケーターディスクは、アームの一端を通り抜ける第２の回転軸のまわりの第２の回転運動をする。
【００１２】
好ましいことに、前記駆動手段は、さらに、
−  内側歯列がある環状のクラウンと、
−  環状のクラウンの内側歯列と噛み合う外側歯列を備えるピニオンと
を有し、このピニオンには、このピニオンが第２の回転軸のまわりを回転可能に動くことができるように、アームの第２の端が接続されている。前記月インジケーターディスクは、ピニオンの偏心位置に固定されている。
【００１３】
好ましいことに、各ローブは、前記月インジケーターディスクの直径と同じ直径の丸まっている形を有しており、前記月インジケーターディスクがローブの裏にあるときに、ローブが前記月インジケーターディスクを完全に隠す。また、ディスクの中心がローブの中心に対してずれるとディスクはすぐに見えるようになる。
【００１４】
好ましいことに、前記カバーと前記月インジケーターディスクは、２つの連続するローブの間に、前記月インジケーターディスクがその２つの連続するローブに同時に接する位置があるような大きさを有する。この位置は満月に対応している。
【００１５】
好ましいことに、リング部分はそれぞれ、円弧の形を有する。
【００１６】
好ましいことに、当該ディスプレーデバイスは、さらに、前記第１の回転軸のまわりにてアームを回転駆動するように構成している伝達手段を有する。
【００１７】
好ましいことに、前記伝達手段は、前記アームが４太陰月に前記第１の回転軸のまわりの完全な１回の公転をするように構成している。
【００１８】
本発明の第２の態様は、本発明の第１の態様に係るディスプレーデバイスを有する計時器に関する。
【００１９】
好ましいことに、前記環状のカバーは、計時器の表盤である。
【００２０】
好ましいことに、前記伝達手段は、当該計時器の計時器用ムーブメントに接続している。
【００２１】
好ましいことに、当該計時器は針を有し、針と月インジケーターディスクの間に表盤が配置されている。
【００２２】
添付の図面を参照しながら例として与えられる以下の説明において他の特徴及び利点が明確に記載されている。なお、これに限定されない。
【図面の簡単な説明】
【００２３】
【図１】本発明の１つの実施形態によるディスプレーデバイスの概略図である。
【図２】本発明の１つの実施形態による腕時計の概略図である。
【発明を実施するための形態】
【００２４】
以下、図１及び２を参照しながら、ディスプレーデバイス１及びこのようなディスプレーデバイスを有する腕時計について説明する。
【００２５】
ディスプレーデバイス１はカバー２を有する。このカバー２は環状である。環状のカバー２は、その中心９に対して回転対称である。カバー２は４つのリング部分３を有する。２つの連続するリング部分３どうしは、カバー２の内側の方に半径方向に突き出ている凸状のローブ４によって分けられている。ローブ４は、好ましくは、リング部分３がすべて同じ長さを有するようにカバー２の周部にわたって均等に分布している。
【００２６】
カバー２は、好ましくは、図２に示すような腕時計の表盤を形成する。ローブ４は、好ましくは、３時、６時、９時、１２時の位置に配置されている。
【００２７】
カバー２には、好ましくは、印５がある。印５はそれぞれ、好ましくは、図２に示すようなローブ４と整列している。
【００２８】
当該ディスプレーデバイスは、さらに、月を表すディスク６を有する。このディスク６は、本出願書類において、「月インジケーターディスク」とも呼ぶ。このディスク６は、カバー２の裏を動くことによって４太陰月の間の月相を表すことができる。このディスク６には、好ましくは、月の見える側の面を表すデザインが施されている。
【００２９】
当該ディスプレーデバイスは、２つの連続するローブ４の中心２０の間にてサイクロイド状の軌跡１９を描く運動を行うようにディスク６を動かすように構成している駆動手段を有する。
【００３０】
これらの駆動手段は、好ましくは、内側歯列８があるクラウン７を有する。クラウン７は、環状のカバー２の中心９に重なり合った中心点を中心とする環状の幾何学的構成を有する。
【００３１】
駆動手段は、さらに、クラウン７の内側歯列８と噛み合う外側歯列２１を備えるピニオン１１を有する。
【００３２】
また、駆動手段は、アーム１２を有する。アーム１２は、環状のカバー２の中心を通り抜ける第１の回転軸１４のまわりを回転可能に動くことができるように構成している第１の端１３を有する。アーム１２は、さらに、アーム１２が第２の回転軸１６のまわりを回転可能に動くことができるようにピニオン１１に固定された第２の端１５を有する。第２の回転軸１６は、ピニオン１１の中心を通り抜けて、アームの第２の端１５を貫通する。
【００３３】
月を表すディスク６は、その中心が第２の回転軸１６のまわりも回転するように固定される。この目的のために、ディスク６は、好ましくは、ピニオン１１に固定される。特に、ディスク６の中心１７は、好ましくは、ピニオン１１の偏心位置にて固定される。このようにして、ディスク６の中心とピニオン１１の中心は、互いに対してずれている。
【００３４】
アーム１２が第１の回転軸１４のまわりを回転駆動されるとき、アーム１２は、ピニオン１１を回転駆動する。このピニオン１１は、クラウン７の内側歯列８に噛み合いながら第２の回転軸１６のまわりを回転する。このようにして、ディスク６は、第２の回転軸１６のまわりに回転駆動される。第２の回転軸１６が第１の回転軸１４のまわりの回転運動をするので、ディスク６の中心はサイクロイド状軌道１９を描く。各サイクロイド状軌道１９は、１つのローブ４の中心２０から次のローブ４の中心２０までを範囲とする。アーム１２が第１の回転軸１４のまわりに完全な１回の公転をしたときには、図１に示すように、ディスク６は４つのサイクロイド状軌道１９を描く。
【００３５】
各サイクロイド状軌道１９の間、ディスク６は、ディスクが動くそのサイクロイド状軌道１９の両側のローブ４によって、隠される度合いが変動するように隠される。
【００３６】
特に、各サイクロイド状軌道１９を開始するときには、ディスク６は、第１のローブ４の裏で完全に隠されている。この位置は新月を表している。各サイクロイド状軌道上において、ディスク６がサイクロイド状軌道１９の中間位置に達するまで、ディスク６が前進するほど、ディスクの部分が多く見えるようになる。各サイクロイド状軌道の中間位置において、図１に示すように、ディスク６は完全に見えるようにされる。この位置では、ディスク６は、好ましくは、ディスク６のまわりにある２つのローブ４に接する。この位置は満月を表している。
【００３７】
そして、ディスク６は、次のローブ４によって、このディスク６がこの新しい次のローブ４によって完全に隠される位置に再び達するまで、徐々に隠される。
【００３８】
第１の回転軸１４のまわりのアーム１２の回転速度は、ディスク６が１太陰月の間に１つのサイクロイド状軌道１９を描くことを完了させるように選ばれる。
【００３９】
好ましくは、当該ディスプレーディスクが計時器に組み入れられるので、アーム１２は、好ましくは、計時器用ムーブメントによって回転駆動される。第１の回転軸１４は、好ましくは、計時器の針１８の回転軸と一致している。
【００４０】
当然、本発明は、図面を参照しながら説明した実施形態に限定されず、本発明の範囲から逸脱せずにいくつもの変形態様を想到することができる。
【符号の説明】
【００４１】
１  ディスプレーデバイス
２  環状のカバー
３  リング部分
４  ローブ
５  印
６  月インジケーターディスク
７  環状のクラウン
８  内側歯列
９  環状のカバーの中心
１１  ピニオン
１２  アーム
１３  第１の端
１４  第１の回転軸
１５  第２の端
１６  第２の回転軸
１７  月を表すディスクの中心
１８  針
１９  サイクロイド状軌道
【図１】
2018155739.tif 000003
【図２】
2018155739.tif 000004